(57)【特許請求の範囲】
【請求項１】
箱本体の開口枠部に扉が開閉自在に枢着されている電気機器収納用箱において、前記開口枠部のコーナー部裏面側に、この裏面側に当接して抵抗溶接される２つの平面状溶接部を有するコーナー部材を取り付けたことを特徴とする電気機器収納用箱。
【請求項２】
２つの平面状溶接部は、同一方向から同時に抵抗溶接ができるよう並行、かつ段違いに形成されている請求項１に記載の電気機器収納用箱。
【請求項３】
開口枠部の内側には階段状に凹んだ扉収納部が形成されており、コーナー部材の２つの平面状溶接部を、前記扉収納部の裏面に当接する第１の溶接部と、開口枠部の裏面に当接する第２の溶接部が垂直片部を介して平行に形成されたものとした請求項１または２に記載の電気機器収納用箱。
【請求項４】
コーナー部材は、板材がクランク状に二回折り曲げられて第１の溶接部、垂直片部、第２の溶接部が連続的に形成されており、コーナー部材の板体がコーナーの一辺と他辺の間にわたっていて、コーナーの一辺と他辺となす角度が共に４５°の角度で取り付けられる請求項３に記載の電気機器収納用箱。
【請求項５】
箱本体の開口枠部に水切り垂直片を有する水切り部が形成されており、コーナー部材の２つの平面状溶接部を、前記水切り部の垂直片の裏面に当接する第１の溶接部と、箱本体の側壁面の裏面に当接する第２の溶接部が平行に形成されたものとした請求項１または２に記載の電気機器収納用箱。
【発明の詳細な説明】
【技術分野】
【０００１】
本発明は、抵抗溶接により扉周縁のコーナー部における２平面を一度に溶接することができて、優れた接合強度および生産性を発揮する電気機器収納用箱に関するものである。
【背景技術】
【０００２】
従来から、配電盤や分電盤や制御盤等の電気機器収納用箱として、特許文献１に示されるように、前面開口部の周縁部に外表面から一段低く形成した扉当接面を設けて額縁形状としたものも知られている。
【０００３】
また、前記のような扉当接面を設けた開口周縁部の角部における接合構造としては、（１）当接する一方の板材に鋼板厚み分だけ内側に位置させた溶接片を形成し、この溶接片に他方の板材を重ね合わせて抵抗溶接したものや、（２）更に、２つの板材の接合部にＬ字状のコーナー部材を当てて抵抗溶接したものや、（３）板材の突合せ部をアーク溶接したもの等が知られている。
【０００４】
しかしながら、このような従来技術においては、（１）、（２）の場合、一平面のみで溶接するので十分な接合強度を得ることができず、更に別の箇所で溶接を行って補強する必要があり、作業工数が多くなるという問題点や、生産コストが高くなるという問題点があった。また（３）の場合は、溶接後において肉盛り部を研削する等の仕上げ工程が必要になるという問題点や、板厚が薄い場合には溶接が非常に難しいという問題点があった。
【特許文献１】特開２０００−２５２６４５号公報
【発明の開示】
【発明が解決しようとする課題】
【０００５】
本発明は上記のような問題点を解決して、抵抗溶接により扉周縁のコーナー部における２平面を一度に溶接することができて優れた接合強度、および生産性を発揮することができ、また安価に量産することができる電気機器収納用箱を提供することを目的として完成されたものである。
【課題を解決するための手段】
【０００６】
上記課題を解決するためになされた本発明の電気機器収納用箱は、箱本体の開口枠部に扉が開閉自在に枢着されている電気機器収納用箱において、前記開口枠部のコーナー部裏面側に、この裏面側に当接して抵抗溶接される２つの平面状溶接部を有するコーナー部材を取り付けたことを特徴とするものである。
【０００７】
前記２つの平面状溶接部は、同一方向から同時に抵抗溶接ができるよう並行、かつ段違いに形成されていることが好ましく、これを請求項２に係る発明とする。
【０００８】
また、開口枠部の内側には階段状に凹んだ扉収納部が形成されており、コーナー部材の２つの平面状溶接部を、前記扉収納部の裏面に当接する第１の溶接部と、開口枠部の裏面に当接する第２の溶接部が垂直片部を介して平行に形成されたものとすることが好ましく、これを請求項３に係る発明とする。
【０００９】
また、前記コーナー部材は、板材がクランク状に二回折り曲げられて第１の溶接部、垂直片部、第２の溶接部が連続的に形成されており、コーナー部材の板体がコーナーの一辺と他辺の間にわたっていて、コーナーの一辺と他辺となす角度が共に４５°の角度で取り付けられるものとすることが好ましく、これを請求項４に係る発明とする。
【００１０】
更に、箱本体の開口枠部に水切り垂直片を有する水切り部が形成されており、コーナー部材の２つの平面状溶接部を、前記水切り部の垂直片の裏面に当接する第１の溶接部と、箱本体の側壁面の裏面に当接する第２の溶接部が平行に形成されたものとすることが好ましく、これを請求項５に係る発明とする。
【発明の効果】
【００１１】
請求項１に係る発明は、箱本体の開口枠部に扉が開閉自在に枢着されている電気機器収納用箱において、前記開口枠部のコーナー部裏面側に、この裏面側に当接して抵抗溶接される２つの平面状溶接部を有するコーナー部材を取り付けた構造であるので、２平面で溶接され十分な接合強度を得ることができることとなり、別途他の箇所で補強用の溶接を行う必要がなく、優れた生産性を発揮する。
【００１２】
請求項２に係る発明では、２つの平面状溶接部は、同一方向から同時に抵抗溶接ができるよう並行、かつ段違いに形成されているので、平面での溶接を一度に行うことができ、優れた生産性を発揮することとなる。
【００１３】
請求項３に係る発明では、開口枠部の内側には階段状に凹んだ扉収納部が形成されており、コーナー部材の２つの平面状溶接部を、前記扉収納部の裏面に当接する第１の溶接部と、開口枠部の裏面に当接する第２の溶接部が垂直片部を介して平行に形成されたものとしたので、箱本体の開口枠部のコーナー部裏面側に対し、コーナー部材を正確かつ簡単にセットして溶接することができ、高品質の製品が得られることとなる。
【００１４】
請求項４に係る発明では、コーナー部材は、板材がクランク状に二回折り曲げられて第１の溶接部、垂直片部、第２の溶接部が連続的に形成されており、箱本体のコーナー部に対し４５°の角度で取り付けられるものとしたので、コーナー部材を安価に製作することができることとなる。
【００１５】
請求項５に係る発明では、箱本体の開口枠部に水切り垂直片を有する水切り部が形成されており、コーナー部材の２つの平面状溶接部を、前記水切り部の垂直片の裏面に当接する第１の溶接部と、箱本体の側壁面の裏面に当接する第２の溶接部が平行に形成されたものとものとしたので、水切り部を有する箱であっても同様に十分な接合強度を得ることができることとなる。
【発明を実施するための最良の形態】
【００１６】
以下に、図面を参照しつつ本発明の好ましい実施の形態を示す。
図１〜図６に、本発明の第１の実施例を示す。図１は、本発明に係る電気機器収納用箱の全体斜視図を示しており、図中、１は金属板で形成された箱本体、２は前面側に装着された扉である。また、箱本体１の前面には開口枠部３が形成されており、この開口枠部３には扉２が開閉自在に枢着されている。なお、４は開口枠部３の内側に形成されている階段状に凹んだ扉収納部である。
【００１７】
そして、本発明では、前記開口枠部３のコーナー部裏面側に、この裏面側に当接して抵抗溶接される２つの平面状溶接部を有するコーナー部材１１が取り付けられた構造となっている。
図２に、コーナー部材１１の一例を示す。このコーナー部材１１は、２つの平面状溶接部が、同一方向から同時に抵抗溶接ができるよう並行、かつ段違いに形成されている。図示のものでは、コーナー部材の２つの平面状溶接部が、前記扉収納部４の裏面に当接する第１の溶接部１２ａと、開口枠部３の裏面に当接する第２の溶接部１２ｂが垂直片部１３を介して平行に形成された構造となっている。そして、このようなコーナー部材１１を用いることにより、前記垂直片部１３に沿う方向で複数の電極部を備えた抵抗溶接を稼動させれば、一度に２つの溶接部で抵抗溶接が可能となり、しかも十分な溶接強度が確保できるとともに、生産性も大幅に向上させることとなる。
【００１８】
また前記コーナー部材１１は、板材がクランク状に二回折り曲げられ、第１の溶接部１２ａ、垂直片部１３、第２の溶接部１２ｂが連続的に形成された構造で、箱本体１のコーナー部に対し、４５°の角度で向かうように取り付けられるものであり、１枚の板材から簡単、かつ安価に加工することができるものである。
なお、第２の溶接部１２ｂの先端部には、下方側へ屈曲されて折り返し片１４が形成され、この折り返し片１４と溶接部１２ｂと垂直片部１３とで断面コ字状の部分を形成している（図４を参照）。このため、このコ字状部分を利用してコーナー部材１１が抵抗溶接機により的確に保持できることとなり、また折り返し片１４を箱本体１の側面に当接するようにすれば、補強材としての作用も発揮する。
【００１９】
図３に、箱本体１の平面図（扉２を除いた状態）、図４にＡ−Ａ断面図を示す。また、図５に要部の斜視図、図６に図５の分解斜視図を示す。
図６に示されるように、コーナー部材１１は箱本体１のコーナー部に内側から差し込んで所定位置にセットすると、第１の溶接部１２ａが扉収納部４の裏面に当接し、第２の溶接部１２ｂが開口枠部３の裏面に当接する（図４を参照）。次いで、垂直片部１３に沿う方向で複数の電極部を備えた抵抗溶接機が挿入され、２つの溶接部で一度に抵抗溶接が行われる。これにより、十分な溶接強度が確保できるとともに、生産性も大幅に向上させることとなる。
なお、コーナー部材１１の垂直片部１３には孔部１５が形成されていて、箱本体１のコーナー部にセットした場合に扉収納部４の角部が孔部１５に入り込む構造となっている。これにより、枠部の寸法が小さくてもコーナー部材をセットすることが可能となり、また垂直片部１３を箱本体１の角部から離れた箇所に位置させることができるので、より強い溶接強度を確保できることとなる。
【００２０】
次に、図７〜図１１に、本発明の第２の実施例を示す。
この例においては、開口部に水切り部が設けられた構造となっている。図７は、第２の実施例に係る電気機器収納用箱の全体斜視図を示しており、図中、１は金属板で形成された箱本体、２は前面側に開閉自在に装着された扉である。また、箱本体１の前面には開口枠部３が形成されており、この開口枠部３には水切り部５が設けられている。なお、図において、５ａは水切り部の垂直片、５ｂは垂直片５ａの先端に設けた水切り用の屈曲部、６は箱本体１の側壁面である。
【００２１】
図８に、これに適用するコーナー部材２１の一例を示す。
このコーナー部材２１は、前述のコーナー部材１１と同様、２つの平面状溶接部が、同一方向から同時に抵抗溶接ができるよう並行、かつ段違いに形成されている。図示のものでは、コーナー部材２１の２つの平面状溶接部が、前記水切り部５の垂直片５ａの裏面に当接する第１の溶接部２２ａと、箱本体１の側壁面６の裏面に当接する第２の溶接部２２ｂが、連結片部２３を介して平行に形成された構造となっている。
そして、このようなコーナー部材２１を用いることにより、前記連結片部２３に沿う方向で抵抗溶接の複数の電極部を備えた溶接用チップ部を稼動させれば、一度に２つの平面状溶接部で抵抗溶接が可能となり、しかも十分な溶接強度が確保できることとなる。
【００２２】
また、図９に、図４と同様のＡ−Ａ断面図を示す。また、図１０に要部の斜視図、図１１に図５の分解斜視図を示す。
図１１に示されるように、コーナー部材２１を箱本体１のコーナー部に内側から差し込んで所定位置にセットすると、図９〜図１０に示されるように、前記第１の溶接部２２ａが水切り部５の垂直片５ａの裏面に当接し、第２の溶接部２２ｂが箱本体１の側壁面６の裏面に当接する。次いで、連結片部２３に沿う方向で複数の電極部を備えた抵抗溶接機を挿入し、２つの溶接部で一度に抵抗溶接が行われる。これにより、十分な溶接強度が確保できるとともに、生産性も大幅に向上させることとなる。
【００２３】
なお、図２に示されるように、抵抗溶接を所定の位置で確実かつ容易に行えるよう、平面状溶接部にプロジェクションと称される突起１６を形成しておくことが好ましい。
なお、前述の第１〜２の実施例においては、いずれも２つの平行な平面状溶接部を同時に抵抗溶接する場合について説明したが、いずれかの平面状溶接部と垂直片部１３あるいは水切り垂直片２３とを組み合わせて溶接してもよいことは勿論である。
【００２４】
その他、第１の実施例においては、図１２に示されるように、箱本体１とコーナー部材１１とが突起１６のみで溶接され接触していて、他の部分とは空間部を形成するように接合させることが好ましく、更には、コーナー部材１１の孔部１５に入り込む扉収納部４の角部も垂直片部１３とは接触しないように接合させることも好ましい。
また、第２の実施例においては、コーナー部材２１が一枚の板体から折り曲げ加工したものの他、図１３に示されるような、一枚の板体から絞り加工して得られるものでもよく、更に、図１４に示されるような、角を有しない円弧状のものとしてもよい。また、図１５に示されるように、箱本体１に設けた水切り部５の垂直片５ａと屈曲部５ｂをコーナー部において覆うだけのものであってもよく、更には、垂直片５ａと開口枠部３をコーナー部において単に覆うだけのもの（図示せず）であってもよい。
【００２５】
以上の説明からも明らかなように、本発明は箱本体の開口枠部に扉が開閉自在に枢着されている電気機器収納用箱において、前記開口枠部のコーナー部裏面側に、この裏面側に当接して抵抗溶接される２つの平面状溶接部を有するコーナー部材を取り付けたものとしたので、２箇所で抵抗溶接が施されており高い接合強度と剛性が得られることになる。また、溶接も一度に行えるので優れた生産性を発揮することができ、更には、コーナー部材も一枚の板体から簡単に作れるので生産コストを安価なものとすることができる等、種々の利点を有するものである。
【図面の簡単な説明】
【００２６】
【図１】本発明の第１の実施の形態を示す全体斜視図である。
【図２】第１のコーナー部材を示す斜視図である。
【図３】第１の実施の形態を示す平面図である。
【図４】図３のＡ−Ａ断面図である。
【図５】第１の実施の形態の要部を示す斜視図である。
【図６】図５の分解斜視図である。
【図７】本発明の第２の実施の形態を示す全体斜視図である。
【図８】第２のコーナー部材を示す斜視図である。
【図９】第２の実施例における図３と同様のＡ−Ａ断面図である。
【図１０】第２の実施の形態の要部を示す斜視図である。
【図１１】図１０の分解斜視図である。
【図１２】その他の実施の形態を示す要部の断面図である。
【図１３】その他のコーナー部材を示す斜視図である。
【図１４】その他のコーナー部材を示す斜視図である。
【図１５】その他のコーナー部材を示す斜視図である。
【符号の説明】
【００２７】
１  箱本体
２  扉
３  開口枠部
４  扉収納部
５  水切り部
５ａ  垂直片
６  側壁面
１１  コーナー部材
１２a 第１の溶接部
１２b 第２の溶接部
１３  垂直片部
２１  コーナー部材
２２a 第１の溶接部
２２b 第２の溶接部
２３  垂直片部
【図１】
0005127566.tif 000002
【図２】
0005127566.tif 000003
【図３】
0005127566.tif 000004
【図４】
0005127566.tif 000005
【図５】
0005127566.tif 000006
【図６】
0005127566.tif 000007
【図７】
0005127566.tif 000008
【図８】
0005127566.tif 000009
【図９】
0005127566.tif 000010
【図１０】
0005127566.tif 000011
【図１１】
0005127566.tif 000012
【図１２】
0005127566.tif 000013
【図１３】
0005127566.tif 000014
【図１４】
0005127566.tif 000015
【図１５】
0005127566.tif 000016